(57)【特許請求の範囲】
【請求項１】
既設の中空電柱の側面に一時穿設された更生作業孔を塞ぐ電柱補強具であって、
更生作業孔内に係止収容される補強材本体と、前記補強材本体に取り付けられて前記更生作業孔を塞ぐ閉塞板とから構成され、
前記補強材本体は、
前記更生作業孔の縁に沿う枠孔を有して枠状に一体形成された枠体と、
前記枠体の上端部及び下端部の少なくとも一方から所定の突出量だけ外方突出して設けられた係止部と、
前記係止部の突出量を調整可能に保持する突出量調整部と
を備え、
前記突出量調整部は、
前記突出量を調整し得る操作部を前記枠孔の内側に有することを特徴とする電柱補強具。
【請求項２】
前記突出量調整部は、
前記枠体の上端部又は下端部の一方と、これに対向する係止部の対向部とを、前記枠体の長手方向に伸縮調整可能な首長を有する首部によって連結するものであり、
前記首部は、首長の伸縮調整と共に伸縮する伸縮カバーで周囲を覆われてなる請求項１記載の電柱補強具。
【請求項３】
前記枠体は、
上下左右の各枠板が方形枠状に連接されることで、閉塞板と対向して前方から閉塞される枠孔を構成するものであり、前記上下左右の各枠板のうち、上下の枠板は、左右の枠板と比べて後方へ長い枠幅を各々有してなる、請求項１又は２記載の電柱補強具。
【請求項４】
前記枠体は、
上下左右の各枠板が方形枠状に連接されることで、閉塞板と対向して前方から閉塞される枠孔を構成するものであり、前記上下左右の各枠板のうち、上下の枠板は、上下の枠外方へ前記係止部又は立板が設けられ、枠体が更正作業孔内に取り付けられた状態で、前記係止部又は前記立板によって前記上下の枠板が更正作業孔の上下孔縁から離間してなる、請求項１乃至請求項３のいずれかに記載の電柱補強具。
【請求項５】
前記閉塞板は、
前記補強材本体に取り付けられた状態で、前記枠孔の内側に突出する突出部を有することを特徴とする請求項１乃至請求項４のいずれかに記載の電柱補強具。
【発明の詳細な説明】
【技術分野】
【０００１】
本発明は、既設電柱の更生作業の準備として電柱の側面に空けた更生作業孔を塞ぎ、更生前の強度を確保するための、養生用の電柱補強具に関する。
【背景技術】
【０００２】
既設電柱の老朽化対策として、既設電柱の内部空間にモルタル等の補強材を充填する更正作業の工事が知られている。このような電柱の更生作業として、電柱側面に更正作業孔を穿設し、この更正作業孔から補強材（モルタル、アラミド繊維など）で電柱内壁を覆い、補強材の固化定着のため数時間乃至数日間養生させた後、モルタル等を既設電柱内部に充填する方法がある。
【０００３】
上記養生期間中は単に蓋のみを施して仮閉塞するという対応も考え得る。例えば、従来の更正作業の手法として、特許文献１では、鋼板製電柱の一部分に縦長に開口した作業孔を内側から閉塞する内側カバー体と、作業孔の外側からあてると共に作業孔と対応する縦長の開口孔が設けられた外側カバー体と、その外側カバー体、電柱の作業孔開口周縁、内側カバー体の三者を一体に結合する取付けねじとを有し、内側カバー体に外側カバー体の開口孔と対向し合う上端部位にねじ式のキャップによって外側から閉塞されるカバー用作業孔が設けられている鋼板製電柱用作業孔の閉塞カバーが提案されている。
【先行技術文献】
【特許文献】
【０００４】
【特許文献１】特許第４４１３８９０号公報
【発明の開示】
【発明が解決しようとする課題】
【０００５】
しかしながら、既設電柱の更生作業では、更生作業中も電柱として機能することから、この養生期間中にも電柱強度を維持しなければならないという要求があり、上記特許文献にて提案されるような仮閉塞蓋によって電柱強度維持の要求に応えることは困難であった。また一方で、電柱側面に穿設する更正作業孔は電柱の大きさや内部厚さが様々なため、更正作業孔は電柱によって大きさが異なるものとなっていた。さらに電柱内部に充填させた補強材が養生期間中に更正作業孔内に流入し、作業孔が固化閉塞される場合も考えられる。このような場合、養生後の仕上げ更正作業に支障をきたしてしまう。
【０００６】
本発明は、かかる事情に鑑みてなされたものであり、更正作業孔の大きさに関わらず、閉塞状態で電柱強度維持の要求に応じて孔を閉塞することができ、さらに電柱内部に充填させた補強材が養生期間中に更正作業孔内に流入して仕上げ更正作業に支障をきたす状況を回避し得る電柱補強具を提供する。
【課題を解決するための手段】
【０００７】
本発明に係る電柱補強具は、既設の中空電柱（Ｐ）の側面に一時穿設された更生作業孔を塞ぐ電柱補強具であって、更生作業孔内に係止収容される補強材本体（１００）と、前記補強材本体（１００）に取り付けられて前記更生作業孔を塞ぐ閉塞板（２００）とから構成され、前記補強材本体（１００）は、前記更生作業孔の縁に沿う枠孔（１Ｓ）を有して枠状に一体形成された枠体（１１）と、前記枠体（１１）の上端部及び下端部の少なくとも一方から所定の突出量だけ外方突出して設けられた係止部（２）と、前記係止部（２）の突出量を調整可能に保持する突出量調整部（４）とを備え、前記突出量調整部（４）は、前記突出量を調整し得る操作部（４０Ｈ）を前記枠孔（１Ｓ）の内側に有することを特徴とする。
【０００８】
上記の構成によれば、仮設置した枠体の枠孔内から操作部（４０Ｈ）を操作することで、更正作業孔の大きさに合わせて容易に取り付け可能である。また枠内から操作部（４０Ｈ）を操作できるため、更正作業途中で電柱内部に充填させた補強材（モルタル、アラミド繊維など）と接触することなく枠体の取付け状態を調整することができる。また、突出量調整部（４）により電柱補強具の長さを調整できるので、更正作業孔の大きさに関わらず、閉塞状態で電柱強度維持の要求に応じて孔を閉塞することができる。
【０００９】
また、本発明に係る電柱補強具の前記突出量調整部（４）は、前記枠体の上端部又は下端部の一方と、これに対向する係止部（２）の対向部とを、前記枠体の長手方向に伸縮調整可能な首長を有する首部（４０）によって連結するものであり、前記首部（４０）は、首長の伸縮調整と共に伸縮する伸縮カバー（４１Ｐ）で周囲を覆われてなる。
【００１０】
上記の構成によれば、電柱内から更正用の補強材（モルタル、補強用繊維材など）が流入してきた場合でも、伸縮カバーで首部を覆うことで、首部と補強材との接触を回避し、伸縮調整な状態を維持することができる。
【００１１】
また、本発明に係る電柱補強具の前記枠体（１１）は、上下左右の各枠板が方形枠状に連接されることで、閉塞板と対向して前方から閉塞される枠孔を構成するものであり、前記上下左右の各枠板のうち、上下の枠板は、左右の枠板と比べて後方へ長い枠幅を各々有してなる。
【００１２】
上記の構成によれば、枠孔の上下部は補強材が電柱内部から流れ落ちて又は溢れて流入しやすい個所であるが、上下の枠板が後方すなわち電柱の内部寄りへ長い枠幅を有してなることで、補強材の流入を遮蔽することができる。
【００１３】
また、本発明に係る電柱補強具の前記枠体（１１）は、上下左右の各枠板が方形枠状に連接されることで、閉塞板と対向して前方から閉塞される枠孔を構成するものであり、前記上下左右の各枠板のうち、上下の枠板は、上下の枠外方へ前記係止部（２）又は立板（３Ｌ）が設けられ、枠体（１１）が更正作業孔内に取り付けられた状態で、前記係止部（２）又は前記立板（３Ｌ）によって前記上下の枠板が更正作業孔の上下孔縁から離間してなる。
【００１４】
上記の構成によれば、枠孔の上下部は補強材が電柱内部から流れ落ちて又は溢れて流入しやすい個所であるが、上下の枠板が係止部（２）又は立板（３Ｌ）によって前記上下の枠板が更正作業孔の上下孔縁から離間してなることで、補強材の流入を遮蔽することができる。
【００１５】
また、本発明に係る電柱補強具の前記閉塞板（２００）は、前記補強材本体（１００）に取り付けられた状態で、前記枠孔（１Ｓ）の内側に突出する突出部（２０２）を有することを特徴とする。
【００１６】
上記の構成によれば、枠孔は補強材が電柱内部から流れ落ちて又は溢れて流入しやすい個所であるが、閉塞板（２００）に突出部（２０２）を有することによって前記枠孔内への補強材の流入を遮蔽することができる。
【発明の効果】
【００１７】
本発明によれば、更正作業孔の大きさに関わらず、閉塞状態で電柱強度維持の要求に応じて孔を閉塞することができ、さらに電柱内部に充填させた補強材が養生期間中に更正作業孔内に流入して仕上げ更正作業に支障をきたす状況を回避し得る電柱補強具を提供することができる。
【図面の簡単な説明】
【００１８】
【図１】本発明の第１の実施形態に係る電柱補強具が備える補強材本体の構成を示す斜視図である。
【図２】本発明の第１の実施形態に係る電柱補強具の既設電柱への取り付け例を示す斜視図である。
【図３】本発明の第１の実施形態に係る電柱補強具の既設電柱への取り付け例を示す一部断面図である。
【図４】本発明の第２の実施形態に係る電柱補強具が備える補強材本体の他の構成を示す斜視図である。
【図５】本発明の第２の実施形態に係る電柱補強具が備える補強材本体の他の構成を示す斜視図である。
【図６】本発明の実施形態に係る電柱補強具を用いた既設電柱の更生作業を説明する図である。
【図７】本発明の実施形態に係る電柱補強具を用いた既設電柱の更生作業を説明する図である。
【発明を実施するための形態】
【００１９】
（第１の実施形態）
図１は、本発明の第１の実施形態に係る電柱補強具の構成を示す斜視図である。図２は、本発明の第１の実施形態に係る電柱補強具の既設電柱への取り付け例を示す斜視図である。図３は、本発明の第１の実施形態に係る電柱補強具の既設電柱への取り付け例を示す一部断面図である。以下、図１〜図３を参照して、第１の実施形態に係る電柱補強具について説明する。
【００２０】
図２及び図３に示すように、第１の実施形態に係る電柱補強具は、既設の中空電柱Ｐの側面に一時穿設された更生作業孔ＰＨを塞ぐ電柱補強具である。電柱補強具は、更生作業孔ＰＨ内に係止収容される補強材本体１００と、補強材本体１００に取り付けられて更生作業孔ＰＨを塞ぐ閉塞板２００とから構成される。なお、図２及び図３に示すように、中空電柱Ｐの内壁は、補強材Ｓ（モルタル、アラミド繊維など）で覆われている。
【００２１】
また、図１に示すように、補強材本体１００は、更生作業孔ＰＨの縁に沿う枠孔１Ｓを有して枠状に一体形成された枠体１１と、枠体１１の上板１２（上端部）から所定の突出量だけ外方突出して設けられた係止部２と、係止部２の突出量を調整可能に保持する突出量調整部４とを備えている。
【００２２】
枠体１１は、上下左右の各枠板（上板１２、下板１３及び左右板１１Ｂ）が方形枠状に連接されることで、閉塞板２００と対向して前方から閉塞される枠孔１Ｓを構成する。上下左右の各枠板（上板１２、下板１３及び左右板１１Ｂ）のうち、上下の枠板（上板１２及び下板１３）は、後方へ突出した突出部１ＢＴが各々設けられている。このため、上下の枠板（上板１２及び下板１３）は、左右１１Ｂの枠板の枠幅Ｗ１と比べて長い枠幅Ｗ２を各々有する。
【００２３】
係止部２は、枠体１１に対向し、突出量調整部４にナット４２により連結された下板２２Ｆと、下板２２Ｆに立設し、閉塞板２００をねじ止めするためのねじ孔２Ｈを有する正面板２１Ｆとから構成される。
【００２４】
突出量調整部４は、枠体１１の上板１２（上端部）と、これに対向する係止部２の下板２２Ｆ（対向部）とを、枠体１１の長手方向に伸縮調整可能な首長を有する首部４０によって連結するものであり、首部４０の突出量を調整し得る操作部４０Ｈを枠体１１の枠孔１Ｓの内側に有している。
【００２５】
突出量調整部４の首長４０は、枠体１１の上板１２（上端部）に設けられた螺子孔を有するナット４Ｎに螺合されており、操作部４０Ｈの孔４０Ｄに六角レンチ等を挿入して回転操作することで、首長４０の上端にナット４２により連結された係止部２の突出量を調整することができる。
【００２６】
下板１３には、閉塞板２００を補強材本体１００に取り付けるための取付板３１Ｆ及び立板３Ｌが設けられている。取付板３１Ｆには、閉塞板２００をねじ止めするためのねじ孔３Ｈを有する。また、補強材本体１００は、枠体１１の上下左右の各枠板（上板１２、下板１３及び左右板１１Ｂ）のうち、上下の枠板（上板１２及び下板１３）は、枠体１１が更正作業孔ＰＨ内に取り付けられた状態で、係止部２及び立板３Ｌによって上下の枠板（上板１２及び下板１３）が更正作業孔ＨＰの上下孔縁から離間する。
【００２７】
また、図３に示すように、首長４０の周囲には、首長４０の伸縮調整と共に伸縮する伸縮カバー４１Ｐを設けられている。つまり、首長４０は、この伸縮カバー４１Ｐにより周囲を覆われている。図３では、伸縮カバー４１Ｐは、補強材本体１００の上板１２に設けられた第１の円筒体４１１Ｒと係止部２の下板２２Ｆに設けられた第２の円筒体４１２Ｐとから構成される。第１の円筒体４１１Ｒの内径が第２の円筒体４１２Ｐの外径以上となっており、第１の円筒体４１１Ｒと第２の円筒体４１２Ｐとが一部が重なるようにして首長４０の周囲を覆うように構成されている。なお、伸縮カバー４１をベローズ等で構成してもよい。
【００２８】
閉塞板２００は、閉塞板本体２０１と、閉塞板２００を補強材本体１００に取り付けた状態で、枠孔１Ｓの内側に突出して、補強材Ｓの外周面ＳＦに対向する複数の柱状の突出部２０２を有している。閉塞板本体２０１は、係止部２のねじ孔２Ｈに対応する貫通孔２０３と、取付板３１Ｆのねじ孔３Ｈに対応する貫通孔２０４を有し、ねじ２０５により補強材本体１００に取り付けられて更生作業孔ＰＨを塞ぐ。ここで、貫通孔２０３，２０４の一方が（図２では、貫通孔２０４）が縦方向、すなわち枠体１１の長手方向と平行な長孔となっている。このため、係止部２の突出量を調整しても、すなわち、補強材本体１００長さが変わっても問題なく、閉塞板２００を補強材本体１００に取り付けることができる。
【００２９】
以上のように、第１の実施形態に係る電柱補強具は、既設の中空電柱Ｐの側面に一時穿設された更生作業孔ＰＨを塞ぐ電柱補強具であって、更生作業孔ＰＨ内に係止収容される補強材本体１００と、補強材本体１００に取り付けられて更生作業孔ＰＨを塞ぐ閉塞板２００とから構成される。補強材本体１００は、更生作業孔ＰＨの縁に沿う枠孔１Ｓを有して枠状に一体形成された枠体１１と、枠体１１の上端部（上板１２）及び下端部（下板１３）の少なくとも一方から所定の突出量だけ外方突出して設けられた係止部２と、係止部２の突出量を調整可能に保持する突出量調整部４とを備えている。さらに、突出量調整部４は、突出量を調整し得る操作部４０Ｈを枠孔１Ｓの内側に有している。
【００３０】
このため、仮設置した枠体１１の枠孔１Ｓ内から操作部４０Ｈを操作することで、更正作業孔ＰＨの大きさに合わせて容易に電柱補強具を取り付けることができる。また枠孔１Ｓ内から操作部４０Ｈを操作できるため、更正作業途中で電柱Ｐ内部に充填させた補強材Ｓ（モルタル、アラミド繊維など）と接触することなく枠体の取付け状態を調整することができる。また、突出量調整部（４）により電柱補強具の長さを調整できるので、更正作業孔ＰＨの大きさに関わらず、電柱強度維持の要求に応じて更正作業孔ＰＨを閉塞することができる。
【００３１】
また、第１の実施形態に係る電柱補強具の突出量調整部４は、枠体１１の上端部（上板）と、これに対向する係止部２の対向部（下板２２Ｆ）とを、枠体１１の長手方向に伸縮調整可能な首長を有する首部４０によって連結するものであり、首部４０は、首長の伸縮調整と共に伸縮する伸縮カバー４１Ｐで周囲を覆われている。
【００３２】
このため、電柱Ｐ内から更正用の補強材Ｓ（モルタル、補強用繊維材など）が流入してきた場合でも、伸縮カバー４１Ｐが首部４０を覆っているため、首部４０と補強材Ｓとの接触を回避でき、伸縮調整な状態を維持することができる。
【００３３】
また、第１の実施形態に係る電柱補強具の枠体１１は、上下左右の各枠板（上板１２、下板１３及び左右板１１Ｂ）が方形枠状に連接されることで、閉塞板２００と対向して前方から閉塞される枠孔１Ｓを構成するものであり、上下左右の各枠板（上板１２、下板１３及び左右板１１Ｂ）のうち、上下の枠板（上板１２及び下板１３）は、後方へ突出した突出部１ＢＴが各々設けられている。このため、上下の枠板（上板１２及び下板１３）は、左右１１Ｂの枠板の枠幅Ｗ１と比べて長い枠幅Ｗ２を各々有する。
【００３４】
枠孔１Ｓの上下部は、補強材Ｓが電柱Ｐ内部から流れ落ちて又は溢れて流入しやすい個所であるが、上下の枠板（上板１２及び下板１３）が、突出部１ＢＴにより形成される後方すなわち電柱Ｐの内部寄りへ長い枠幅Ｗ２を有してなることで、補強材Ｓの流入を遮蔽することができる。
【００３５】
また、第１の実施形態に係る電柱補強具の枠体１１は、上下左右の各枠板（上板１２、下板１３及び左右板１１Ｂ）のうち、上板１２には、枠外方へ係止部２が設けられ、下板１３には、枠外方へ立板３Ｌが設けられている。このため、枠体１１が更正作業孔ＰＨ内に取り付けられた状態で、係止部２及び立板３Ｌによって上下の枠板（上板１２及び下板１３）が更正作業孔ＰＨの上下孔縁から離間する。
【００３６】
枠孔１Ｓの上下部は、補強材Ｓが電柱Ｐ内部から流れ落ちて又は溢れて流入しやすい個所であるが、上下の枠板（上板１２及び下板１３）が、係止部２及び立板３Ｌによって上下の枠板（上板１２及び下板１３）が更正作業孔ＰＨの上下孔縁から離間することで、補強材Ｓの流入を遮蔽することができる。
【００３７】
また、第１の実施形態に係る電柱補強具の閉塞板２００は、補強材本体１００に取り付けられた状態で、枠孔１Ｓの内側に突出する突出部２０２を有している。枠孔１Ｓ内は補強材Ｓが電柱Ｐ内部から流れ落ちて又は溢れて流入しやすい個所であるが、閉塞板２００に突出部２０２を有することによって枠孔内１Ｓへの補強材Ｓの流入を遮蔽することができる。
【００３８】
（第２の実施形態）
図４は、本発明の第２の実施形態に係る電柱補強具が備える補強材本体の他の構成を示す斜視図である。図５は、本発明の第２の実施形態に係る電柱補強具が備える補強材本体の他の構成を示す斜視図である。以下、図４及び図５を参照して、第２の実施形態に係る電柱補強具が備える補強材本体の他の構成について説明する。なお、図１〜図３を参照して説明した第１の実施形態に係る電柱補強具と同じ構成には同一の符号を付して重複する説明を省略する。
【００３９】
第１の実施形態に係る電柱補強具は、図１〜図３を参照して説明したように、枠体１１の上板１２（上端部）側にのみ係止部２と、係止部２の突出量を調整可能に保持する突出量調整部４とを備えている。一方、図４に示す第２の実施形態に係る電柱補強具は、枠体１１の上板１２（上端部）側及び下板１３（下端部）側の両方に係止部２と、係止部２の突出量を調整可能に保持する突出量調整部４とを備えている。
【００４０】
枠体１１の上板１２（上端部）側及び下板１３（下端部）側の両方に係止部２及び突出量調整部４を備えることで、枠体１１の上板１２（上端部）側又は下板１３（下端部）側のどちら側の突出量調整部４の操作部４０Ｈを操作しても、更正作業孔ＰＨの大きさに合わせて容易に電柱補強具を取り付けることができる。また、補強材Ｓの養生時に、一方の突出量調整部４が補強材Ｓ（モルタル、アラミド繊維など）と接触して固着した場合でも、他方の突出量調整部４の操作部４０Ｈを操作して容易に電柱補強具を取り外すことができる。その他の効果は、第１の実施形態に係る電柱補強具と同じである。
【００４１】
また、図５に示す第２の実施形態に係る電柱補強具は、係止部２の突出量を調整可能に保持する突出量調整部４の構成が、図１〜図３を参照して説明した第１の実施形態に係る電柱補強具が備える突出量調整部４と異なる。図１〜図３を参照して説明した第１の実施形態に係る電柱補強具が備える突出量調整部４は、操作部４０Ｈの向きが下向き、すなわち、枠体１１の下板１３に対向するように設けられている。
【００４２】
一方、図５に示す第２の実施形態に係る電柱補強具が備える突出量調整部４は、枠体１１の長手方向に対して垂直な操作部４５Ｈの回転動作を、枠体１１の長手方向に対して平行な首長４０の回転動作に９０度変換するユニバーサルジョイント（自在継手）４４Ｂを備えており、操作部４５Ｈの孔４５Ｄの向きが正面、すなわち、補強材本体１００に取り付けられて更生作業孔ＰＨを塞ぐ閉塞板２００の閉塞板本体２０１に対向するように設けられている。
【００４３】
また、枠体１１の左右板１１Ｂには、ユニバーサルジョイント（自在継手）４４Ｂが枠体１１の長手方向に移動（スライド）できるようにガイド溝１４Ｄが形成されている。さらに、枠体１１の背面側には、中空電柱Ｐ内を確認できるように、枠体１１下側の一部に枠孔１Ｈを残して背面板１５が設けられている。
【００４４】
このため、図５に示す第２の実施形態に係る電柱補強具では、操作部４５Ｈの孔４５Ｄに正面からアクセスすることができ操作性が向上する。また、背面板１５により、補強材Ｓが電柱内部から流れ落ちて又は溢れて流入し、操作部４５Ｈが固着して操作できなくなることを防止することができる。さらに、枠体１１下側の一部に枠孔１Ｈを残して背面板１５が設けられているので、枠孔１Ｈから中空電柱Ｐ内を確認できる。
【００４５】
その他の効果は、第１の実施形態に係る電柱補強具と同じである。なお、図４に示す場合と同様に、枠体１１の上板１２（上端部）側及び下板１３（下端部）側の両方に図５に示す操作部４０Ｈを有する突出量調整部４を備えるように構成してもよい。その他の効果は、第１の実施形態に係る電柱補強具と同じである。
【００４６】
（電柱補強具を用いた既設電柱の更生作業）
図６及び図７は、本発明の実施形態に係る電柱補強具を用いた既設電柱の更生作業を説明する図である。以下、図６及び図７を参照して、図１〜図５を参照して説明した第１，第２の実施形態に係る電柱補強具を用いた既設電柱の更生作業について説明する。
【００４７】
図６に示すように、既設の中空電柱Ｐの側面に更正作業孔ＰＨ内を空けた後、中空電柱Ｐの管内の頭部に滑車Ｐｕ付きの頭部固定装置Ｂを設置する。具体的には、頭部固定装置Ｂを中空電柱Ｐの管内の頭部に到達させた後、芯部Ｂｅの周囲を囲う筒状のバルーンを膨張させることで頭部固定装置Ｂを設置する。また、滑車Ｐｕは、芯部Ｂｅによって頭部固定装置Ｂの下部に吊設されている。
【００４８】
頭部固定装置Ｂの下部の滑車Ｐｕには、あらかじめ誘導ワイヤＷが掛けられており、誘導ワイヤＷの一端は、更正作業孔ＰＨを通じて中空電柱Ｐの管内が外部へ繋がって伸び、誘導ワイヤＷの他端には、注入ホース６０が連結されている。注入ホース６０は、中空電柱Ｐの管内に沿って上下方向に伸長状態で設置されるホース管からなる。注入ホース６０は、ホース管の途中に注入接続器４０を介設して延伸されている。
【００４９】
なお、注入ホース６０のホース管は、周部及び上下端部に図示しない多数の注出孔を有し、この注入ホース６０の上部のホース管端から注入接続器までの上半部には、ホース管に沿って剛体からなる導入補助棒７０が外接されている。導入補助棒７０の下端には操作具接続器５０が設けられ、この操作具接続器５０に操作具を取り付けて、更正作業孔ＰＨ
を通じて中空電柱Ｐの管体外部に操作具を出してセットする。これにより、操作具によって導入補助棒５０の伸長方向を操作することができる。
【００５０】
図６は、誘導ワイヤＷと導入補助棒５０に接続された操作具とを使って、注入ホース６０の上半部が中空電柱Ｐの管体内に上下方向に配置されるようにセットした状態を示している。図６に示す状態から補強材は、注入接続器４０から注入ホース６０のホース管に流入され、ホース管が有する各注出孔から中空電柱Ｐの管内の周方向、上方向、及び下方向へ注出される。これにより、図７に示すように、中空電柱Ｐの管体内面に補強材Ｓが定着した状態となる。
【００５１】
次に、図７に示すように、中空電柱Ｐの管内に注入ホース６０等をセットした状態のまま、図１〜図５を参照して説明した第１，第２の実施形態に係る電柱補強具を更正作業孔ＰＨに取り付ける。この際、ワイヤＷの端部を更正作業孔ＰＨの端部に係止させて、補強材Ｓを取り外して再び開いたときにワイヤＷを外部から取り出せるようにしておく。これによって、養生時の補強作業が完成する。
【００５２】
次に、図７に示す状態のまま数時間乃至数日間養生し、補強材Ｓの固化を待ってから、必要に応じて二回目の補強材Ｓの定着又は内部充填材の充填を行う。この際、更正作業孔ＰＨに取り付けた電柱補強具を取り外して作業を行うが、電柱Ｐ内部に充填させた補強材Ｓが養生期間中に更正作業孔ＰＨ内に流入して仕上げ更正作業に支障をきたす状況を回避し得るため、電柱補強具を容易に取り外して二回目の補強材Ｓの定着又は内部充填材の充填を行うことができる。また、突出量調整部（４）により電柱補強具の長さを調整できるので、更正作業孔ＰＨの大きさに関わらず、電柱強度維持の要求に応じて更正作業孔ＰＨを閉塞することができる。その他の効果は、第１，第２の実施形態に係る電柱補強具と同じである。
【００５３】
（その他の実施形態）
以上、実施形態をもとに本発明を説明した。なお、上記実施形態は例示であり、本発明の主旨から逸脱しない限り、上述各実施形態に対して、さまざまな変更、増減、組合せを加えてもよい。例えば、上記説明では、既設の中空電柱の更生作業について説明したが、中空の管体であれば、本発明の電柱補強具を適用して更生作業を行うことができる。
【符号の説明】
【００５４】
２  係止部
３Ｌ  立板
４  突出量調整部
１１  枠体
４０Ｈ  操作部
４０  首部
４１Ｐ  伸縮カバー
１００  補強材本体
２０１  閉塞板
２０２  突出部
Ｐ  既設の中空電柱
Ｓ１  枠孔
【図１】
0006647687.tif 000002
【図２】
0006647687.tif 000003
【図３】
0006647687.tif 000004
【図４】
0006647687.tif 000005
【図５】
0006647687.tif 000006
【図６】
0006647687.tif 000007
【図７】
0006647687.tif 000008